(57)【要約】【課題】ＰＣＩの重複を起因とするＨＯ品質の劣化を検出することが可能な技術を提供すること。【解決手段】ハンドオーバー完了率が所定の閾値以下であるハンドオーバーの基点となる第一のセルとハンドオーバー先の第二のセルとを抽出する抽出部と、前記抽出部により抽出された前記第二のセルに設定されている第一の物理セルＩＤを第二の物理セルＩＤに変更する設定変更部と、前記第一のセルを基点とするハンドオーバー処理の変化に基づいて、前記第一の物理セルＩＤと同一の物理セルＩＤが設定されている第三のセルの存在を判定する判定部と、を有する情報処理装置を提供する。【選択図】図３
2017188769.tif 000002
【特許請求の範囲】
【請求項１】
ハンドオーバー完了率が所定の閾値以下であるハンドオーバーの基点となる第一のセルとハンドオーバー先の第二のセルとを抽出する抽出部と、
前記抽出部により抽出された前記第二のセルに設定されている第一の物理セルＩＤを第二の物理セルＩＤに変更する設定変更部と、
前記第一のセルを基点とするハンドオーバー処理の変化に基づいて、前記第一の物理セルＩＤと同一の物理セルＩＤが設定されている第三のセルの存在を判定する判定部と、
を有する情報処理装置。
【請求項２】
前記判定部は、前記第二のセルに設定されている前記第一の物理セルＩＤが前記第二の物理セルＩＤに変更された後で、前記第一のセルと前記第一の物理セルＩＤと同一の物理セルＩＤが設定されている第三のセルとの間でハンドオーバーが行われていることを検出した場合に、前記第一の物理セルＩＤと同一の物理セルＩＤが設定されている第三のセルが存在すると判定する、
請求項１に記載の情報処理装置。
【請求項３】
前記判定部は、前記第二のセルに設定されている前記第一の物理セルＩＤが前記第二の物理セルＩＤに変更される前における前記第一のセルから前記第二のセルへのハンドオーバー完了率と、前記第二の物理セルＩＤに変更された後における前記第一のセルから前記第二のセルへのハンドオーバー完了率とを比較し、前記第二の物理セルＩＤに変更された後における前記第一のセルから前記第二のセルへのハンドオーバー完了率が、前記第二の物理セルＩＤに変更される前における前記第一のセルから前記第二のセルへのハンドオーバー完了率よりも大きい場合に、前記第一の物理セルＩＤと同一の物理セルＩＤが設定されている第三のセルが存在すると判定する、
請求項１に記載の情報処理装置。
【請求項４】
前記設定変更部は、前記第一のセルを形成する基地局に記憶されている、ハンドオーバー先セルを示す隣接セル設定情報から前記第二のセルを削除し、
前記第二のセルに設定されている前記第一の物理セルＩＤが前記第二の物理セルＩＤに変更される前における前記第一のセルから前記第二のセルへのハンドオーバー完了率は、前記隣接セル設定情報に前記第二のセルが設定されている場合にカウントされるハンドオーバー完了率であり、
前記第二の物理セルＩＤに変更された後における前記第一のセルから前記第二のセルへのハンドオーバー完了率は、前記隣接セル設定情報に前記第二のセルが設定されていない場合にカウントされるハンドオーバー完了率である、
請求項３に記載の情報処理装置。
【請求項５】
前記設定変更部は、前記第一のセルを形成する基地局に記憶されている、ハンドオーバー先セルを示す隣接セル設定情報から前記第二のセルを削除すると共に、前記第一のセルを形成する基地局に記憶されている、前記隣接セル設定情報に設定されていないハンドオーバー先セルへのハンドオーバーを抑止することを示す抑止情報に前記第二のセルを設定する、
請求項１又は２に記載の情報処理装置。
【請求項６】
他の基地局と通信する基地局であって、
ハンドオーバー完了率が所定の閾値以下である、ハンドオーバー先の第一のセルを抽出する抽出部と、
前記抽出部により抽出された前記第一のセルに設定されている第一の物理セルＩＤを、前記第一の物理セルＩＤとは異なる第二の物理セルＩＤに変更するように、前記第一のセルを形成する基地局に指示する設定変更部と、
前記第一の物理セルＩＤと同一の物理セルＩＤが設定されている第二のセルの存在を判定する判定部と、
を有し、
前記判定部は、前記設定変更部が、前記第一の物理セルＩＤとは異なる第二の物理セルＩＤに変更するように前記第一のセルを形成する基地局に指示した後で、移動機から前記第一の物理セルＩＤを含む受信品質の測定結果を受信した場合、又は、前記第一の物理セルＩＤが設定されているセルと当該基地局が形成するセルとの間でハンドオーバー処理が行われることを検出した場合、前記第一の物理セルＩＤと同一の物理セルＩＤが設定されている第二のセルが存在すると判定する、
基地局。
【請求項７】
前記判定部は、
前記設定変更部が、前記第一の物理セルＩＤとは異なる第二の物理セルＩＤに変更するように前記第一のセルを形成する基地局に指示する前における当該基地局が形成するセルから前記第一のセルへのハンドオーバー完了率と、
前記設定変更部が、前記第一の物理セルＩＤとは異なる第二の物理セルＩＤに変更するように前記第一のセルを形成する基地局に指示した後における当該基地局が形成するセルから前記第一のセルへのハンドオーバー完了率と、
を比較し、前記指示した後における当該基地局が形成するセルから前記第一のセルへのハンドオーバー完了率が、前記指示する前における当該基地局が形成するセルから前記第一のセルへのハンドオーバー完了率よりも大きい場合に、前記第一の物理セルＩＤと同一の物理セルＩＤが設定されている第二のセルが存在すると判定する、
請求項６に記載の基地局。
【発明の詳細な説明】
【技術分野】
【０００１】
本発明は、情報処理装置及び基地局に関する。
【背景技術】
【０００２】
ＬＴＥ（Long Term Evolution）及びＬＴＥ−Ａ（LTE-Advanced）等の無線通信ネットワークを運用する事業者は、全国に多数の基地局を設置することで広大なエリアを構築している。基地局には様々なパラメータを設定する必要があるが、これらのパラメータは基地局毎に異なることから、事業者にとってパラメータ設計の効率化は必要不可欠である。そのため、事業者は、パラメータ設計を効率的に行うための各種の設計システムを用いて業務の効率化を行っている（非特許文献１参照）。
【先行技術文献】
【非特許文献】
【０００３】
【非特許文献１】ＮＴＴドコモ「ＬＴＥ置局設計支援ツール（ＣＥＬＰＬＡ  Ｌ）の開発、インターネットＵＲＬ：https://www.nttdocomo.co.jp/corporate/technology/rd/technical_journal/bn/vol19_4/061.html
【発明の概要】
【発明が解決しようとする課題】
【０００４】
基地局毎に設定が必要なパラメータの１つとして、ＰＣＩ（物理セルＩＤ：Physical Cell Identity）がある。ＰＣＩは、移動機がセルを識別するために用いられるＩＤであり、ＬＴＥでは５０４個の異なるＰＣＩが標準仕様で規定されている。事業者が全国に構築している基地局の数は数千局以上であることから、事業者は、５０４個のＰＣＩが隣接セル（隣り合うセル）間で重複しないように考慮して、基地局のパラメータ設計を行う必要がある。仮にＰＣＩが隣接セル間で重複してしまうと、例えば、ＨＯ（ハンドオーバー：Handover）が正常に動作しない等の問題が生じてしまう。
【０００５】
図１はＨＯが失敗する場合の一例を説明するための図である。図１において、セルＢ及びセルＣにはＰＣＩ（２００）が設定されている。また、セルＣの基地局のＮＲＴ（Neighbor Relation Table）にはセルＢが設定されている前提とする。ここで、ＮＲＴとは、基地局がＨＯ先候補を把握するためのテーブルであり、ＨＯ先セルのＰＣＩ及び当該セルを構成する基地局の識別情報等を含む。
【０００６】
セルＣに在圏している移動機がセルＢの方向に移動し、セルＣの受信品質が劣化したことを検出した場合、移動機はセルＢのＨＯを試みる。より具体的には、移動機は、セルＢの受信品質を測定すると共に、測定結果とセルＢのＰＣＩ（２００）をセルＣの基地局に通知する。セルＣの基地局は、移動機から通知されたＰＣＩ（２００）に基づき、ＮＲＴに設定されているＰＣＩ（２００）のセルＢを構成する基地局に対して移動機がＨＯを行うことを通知すると共に、セルＢへのＨＯを移動機に指示する。
【０００７】
ここで、セルＢと同一のＰＣＩ（２００）が設定されているセルＭがセルＣの近くに存在していたと仮定する。セルＣに在圏している移動機がセルＭの方向に移動し、セルＣの受信品質が劣化したことを検出した場合、移動機は基地局からの指示でセルＢへのＨＯを試みる。より詳細に説明すると、移動機は、セルＭの受信品質を測定すると共に、測定結果とセルＭのＰＣＩ（２００）をセルＣの基地局に通知する。続いて、セルＣの基地局は、移動機から通知されたＰＣＩ（２００）に基づき、ＮＲＴに設定されているＰＣＩ（２００）のセルＢを構成する基地局に対して移動機がＨＯを行うことを通知すると共に、セルＢへのＨＯを移動機に指示する。続いて、移動機は、基地局からの指示でセルＢへのＨＯを試みる。しかしながら、実際には、移動機はセルＢではなくセルＭへのＨＯを試みており、セルＣの基地局からセルＭの基地局には移動機がＨＯすることの通知がなされていないため、移動機はセルＭへのＨＯに失敗してしまうことになる。
【０００８】
このような問題を避けるためには、事業者は、予め各セルにおけるＰＣＩの設計及びＮＲＴの設計を適切に行う必要がある。しかしながら、例えば都心部などトラフィックが混み合うエリアではカバレッジ範囲が小さいセルが大量に存在するため、近い位置のセル間で同一のＰＣＩを設定せざるを得ない場合が多い。また、基地局からの無線信号が届く範囲は地形等にも影響されることからセルの範囲を予め予測することは困難である。
【０００９】
本発明は上記に鑑みてなされたものであって、ＰＣＩの重複を起因とするＨＯ品質の劣化を検出することが可能な技術を提供することを目的とする。
【課題を解決するための手段】
【００１０】
ハンドオーバー完了率が所定の閾値以下であるハンドオーバーの基点となる第一のセルとハンドオーバー先の第二のセルとを抽出する抽出部と、前記抽出部により抽出された前記第二のセルに設定されている第一の物理セルＩＤを第二の物理セルＩＤに変更する設定変更部と、前記第一のセルを基点とするハンドオーバー処理の変化に基づいて、前記第一の物理セルＩＤと同一の物理セルＩＤが設定されている第三のセルの存在を判定する判定部と、を有する。
【発明の効果】
【００１１】
本発明の実施の形態によれば、ＰＣＩの重複を起因とするＨＯ品質の劣化を検出することが可能な技術が提供される。
【図面の簡単な説明】
【００１２】
【図１】ＨＯが失敗する場合の一例を説明するための図である。
【図２】第一の実施の形態に係る無線通信システムのシステム構成例を示す図である。
【図３】第一の実施の形態に係る情報処理装置の機能構成例を示す図である。
【図４】基地局パラメータＤＢの一例を示す図である。
【図５】トラフィックデータＤＢの一例を示す図である。
【図６】判定パラメータＤＢの一例を示す図である。
【図７】第一の実施の形態に係る情報処理装置のハードウェア構成例を示す図である。
【図８】処理手順の概要を説明するための図である。
【図９】ＰＣＩの重複が懸念されるセルの抽出及びＰＣＩを変更する際の処理手順の一例を示すフローチャートである。
【図１０】一時記録用ＤＢに登録されたレコードの具体例を示す図である。
【図１１】ＰＣＩの重複有無の検出を行う際の処理手順の一例を示すフローチャートである。
【図１２】処理手順（変形例その１）の概要を説明するための図である。
【図１３】ＰＣＩの重複が懸念されるセルの抽出及びＰＣＩを変更する際の処理手順（変形例その１）の一例を示すフローチャートである。
【図１４】一時記録用ＤＢに登録されたレコードの具体例を示す図である。
【図１５】ＰＣＩの重複有無の検出を行う際の処理手順（変形例その１）の一例を示すフローチャートである。
【図１６】処理手順（変形例その２）の概要を説明するための図である。
【図１７】ＰＣＩの重複が懸念されるセルの抽出及びＰＣＩを変更する際の処理手順（変形例その２）の一例を示すフローチャートである。
【図１８】一時記録用ＤＢに登録されたレコードの具体例を示す図である。
【図１９】ＰＣＩの重複有無の検出を行う際の処理手順（変形例その２）の一例を示すフローチャートである。
【図２０】第二の実施の形態に係る基地局の機能構成例を示す図である。
【図２１】ＰＣＩの重複が懸念されるセルの抽出及びＰＣＩを変更する際の処理手順の一例を示すフローチャートである。
【図２２】一時記録用ＤＢに登録されたレコードの具体例を示す図である。
【図２３】ＰＣＩの重複有無の検出を行う際の処理手順の一例を示すフローチャートである。
【発明を実施するための形態】
【００１３】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。
【００１４】
＜＜第一の実施の形態＞＞
＜システム構成＞
図２は、第一の実施の形態に係る無線通信システムのシステム構成例を示す図である。図２に示すように、第一の実施の形態に係る無線通信システムは、情報処理装置１と、オペレーション装置２と、基地局３と、集計装置４と、移動機５とを有する。図２には基地局３が１つ図示されているが、図示の便宜上であり複数の基地局３を有する。また、図２には移動機５が１つ図示されているが、図示の便宜上であり以上の移動機５を有していてもよい。
【００１５】
情報処理装置１は、設計者が利用する端末と接続されており、基地局に設定する各種のパラメータ（以下、「基地局パラメータ」と呼ぶ）の管理を行うと共に、基地局パラメータをオペレーション装置２を介して基地局３に反映させる機能を有する。また、情報処理装置１は、基地局３のトラフィックデータ等に基づいてＰＣＩの重複を起因とするＨＯ品質の劣化を検出する機能を有する。なお、トラフィックデータとは、基地局３に関する各種のトラフィック量の統計を示すデータを意図している。
【００１６】
オペレーション装置２は基地局３の保守管理を行う機能を有する。より具体的には、オペレーション装置２は、基地局３の状態監視、各種の制御及びソフトウェアの更新等を行う機能を有する。基地局３は、基地局パラメータに従って動作し、ＬＴＥ（ＬＴＥ−Ａ）で定められた各種の通信処理を行う。集計装置４は、基地局３から送信されるトラフィックデータを集計し、情報処理装置１に送信する機能を有する。
【００１７】
＜機能構成＞
図３は、第一の実施の形態に係る情報処理装置の機能構成例を示す図である。図３に示すように、情報処理装置１は、通信部１０１、転送部１０２、取得部１０３、抽出部１０４、設定変更部１０５、判定部１０６及び記憶部１０７を有する。
【００１８】
通信部１０１は、ネットワークを介してオペレーション装置２及び集計装置４と通信する機能を有する。転送部１０２は、基地局パラメータＤＢから基地局３に送信すべき基地局パラメータを取得してオペレーション装置２に送信（転送）する機能を有する。取得部１０３は、集計装置４からトラフィックデータを取得し、トラフィックデータＤＢに格納する機能を有する。
【００１９】
抽出部１０４は、トラフィックデータＤＢからトラフィックデータを抽出する機能を有する。また、抽出部１０４は、トラフィックデータＤＢに含まれるＨＯ完了率を検索し、ＨＯ完了率が所定の閾値以下である基地局３のペア（ＨＯの基点となる基地局３及びＨＯ先の基地局３）を抽出する機能を有する。
【００２０】
設定変更部１０５は、基地局パラメータＤＢに格納されている基地局パラメータの設定値を変更する機能を有する。また、設定変更部１０５は、基地局パラメータに含まれるＰＣＩを一時的なＰＣＩ（テンポラリＰＣＩ）に変更する機能を有する。また、設定変更部１０５は、設定値を変更した基地局パラメータを基地局３に反映させるために、転送部１０２に基地局パラメータの送信を指示する機能を有する。なお、テンポラリＰＣＩとは、他のセルに設定されているＰＣＩとの重複が発生しないように予め確保されたＰＣＩを意図している。
【００２１】
判定部１０６は、ＨＯの基点となるセルを基点とするハンドオーバー処理の変化に基づいて、ＰＣＩが重複しているセルの存在を判定する機能を有する。ハンドオーバー処理の変化とは、例えば、ハンドオーバーの有無又はハンドオーバー完了率の変化である。また、判定部１０６は、ＨＯ先のセルに設定されているＰＣＩがテンポラリＰＣＩに変更された後で、ＨＯの基点となるセルと、ＨＯ先のセルに設定されていた元のＰＣＩと同一のＰＣＩが設定されているセルとの間でハンドオーバーが行われていることを判定部１０６が検出した場合に、ＰＣＩが重複しているセルが存在すると判定するようにしてもよい。
【００２２】
記憶部１０７は、基地局パラメータＤＢ、トラフィックデータＤＢ、判定パラメータＤＢ及び一時記録用ＤＢを格納する。
【００２３】
図４は、基地局パラメータＤＢの一例を示す図である。基地局パラメータＤＢには、各基地局３に設定すべき基地局パラメータが格納されている。「セル識別子」は、本無線通信システム内でセルを一意に識別する識別子である。セル識別子は、例えばＥＣＧＩ（E-UTRAN Cell Global ID）であってもよい。「基地局番号」は基地局３を一意に識別する番号である。「セクタ番号」は、セクタを一意に識別する番号である。「キャリア番号」は、セクタで用いられているキャリア周波数を一意に識別する番号である。なお、セクタとは、非特許文献１に記載されているように基地局３が無線信号を送信する範囲を意味している。セルは、セクタで特定される範囲と当該セクタで用いられるキャリア周波数とを含む概念と考えてよい。例えば、３つのセクタ及び各セクタで２つのキャリア周波数が用いられる場合、全部で６セル存在することを意味する。「ＰＣＩ」は、セルに設定されるＰＣＩを示す。「ＮＲＴ」は基地局がＨＯ先候補のセルを把握するために用いられるテーブルであり、ＬＴＥの標準仕様（例えば、3GPP TS36.300 22.3.2a）に規定されている。「ＮＲＴ」には、ＨＯ先セルのセル識別子及び当該セルのＰＣＩが設定される。
【００２４】
「ＮＲＴレスＨＯ先ブラックリスト」は、ＮＲＴレスＨＯが禁止されるＨＯ先のセル識別子及び当該セルのＰＣＩが格納される。ここで、ＨＯには、ＮＲＴに設定されているセルとの間で行われるＨＯと、ＮＲＴに設定されていないセルとの間で行われるＨＯとが存在する。以下、前者のＨＯを便宜上「ＮＲＴを用いるＨＯ」と呼び、後者のＨＯを便宜上「ＮＲＴレスＨＯ」と呼ぶ。なお、ＮＲＴレスＨＯは、セルの受信品質を基地局３に報告する際に、ＰＣＩに加えてＥＣＧＩを通知することが可能なＬＴＥのリリース９以降の移動機５で実現可能なＨＯである。
【００２５】
図５は、トラフィックデータＤＢの一例を示す図である。図５（ａ）は、ＮＲＴを用いるＨＯに関するトラフィックデータの例を示し、図５（ｂ）は、ＮＲＴレスＨＯに関するトラフィックデータの例を示す。トラフィックデータＤＢには、各基地局から送信されるトラフィックデータが集計されて格納される。「基点セル」は、ＨＯの基点となるセルを示しており、「ＨＯ先セル」は、基点セルから見たＨＯ先のセルを示している。図５（ａ）の「ＨＯ完了率（ＮＲＴ有）」は、ＮＲＴを用いるＨＯにおけるＨＯ完了率を示しており、図５（ｂ）の「ＨＯ完了率（ＮＲＴ無）」は、ＮＲＴレスＨＯにおけるＨＯ完了率を示している。なお、本実施の形態では、トラフィックデータＤＢの「ＨＯ完了率」は、ハンドオーバーが行われているセル間のレコードのみが格納されている前提とする。従って、「ＨＯ完了率」が０％である場合とは、ハンドオーバーが行われているものの成功率が０％であることを意味する。また、「ＨＯ完了率」のレコードが存在しないセル間では、そもそもハンドオーバーが行われていないことを意味する。
【００２６】
図６は、判定パラメータＤＢの一例を示す図である。判定パラメータＤＢには、情報処理装置１が行う処理で用いられる各種の閾値が格納される。図３に戻り説明を続ける。
【００２７】
一時記録用ＤＢは、情報処理装置１が、ＰＣＩが重複している基地局３の存在を判定する際に、一時的にデータを保存（記録）しておくために用いられる。具体例については後述する。
【００２８】
＜ハードウェア構成＞
図７は、第一の実施の形態に係る情報処理装置のハードウェア構成例を示す図である。第一の実施の形態に係る情報処理装置１は、ＣＰＵ２０１と、ＲＯＭ２０２と、ＲＡＭ２０３と、ＨＤＤ２０４と、操作部２０５と、表示部２０６と、ドライブ装置２０７と、ＮＩＣ（Network Interface card）２０８とを有する。
【００２９】
ＣＰＵ２０１は、情報処理装置１の全体制御を行うプロセッサである。ＣＰＵ２０１は、ＨＤＤ２０４等に記憶されたオペレーティングシステム、アプリケーション、各種サービス等のプログラムを実行し、情報処理装置１の各種機能を実現する。ＲＯＭ２０２には、各種のプログラムやプログラムによって利用されるデータ等が記憶される。ＲＡＭ２０３は、プログラムをロードするための記憶領域や、ロードされたプログラムのワーク領域等として用いられる。ＨＤＤ２０４には、各種情報及びプログラム等が記憶される。
【００３０】
操作部２０５は、ユーザからの入力操作を受け付けるためのハードウェアであり、例えばキーボード又はマウスである。表示部２０６は、利用者に向けた表示を行うハードウェアである。
【００３１】
ドライブ装置２０７は、プログラムを記録した記憶媒体２０９からプログラムを読み取る。ドライブ装置２０７によって読み取られたプログラムは、例えば、ＨＤＤ２０４にインストールされる。ＮＩＣ２０８は、情報処理装置１をネットワークに接続し、データの送受信を行うための通信インタフェースである。
【００３２】
なお、記憶媒体２０９とは、非一時的（non-transitory）な記憶媒体を言う。記憶媒体２０９の例としては、磁気記憶媒体、光ディスク、光磁気記憶媒体、不揮発性メモリなどがある。
【００３３】
＜処理手順＞
（概要）
情報処理装置１がＰＣＩの重複を検出する際の処理手順の概要を説明する。図８（ａ）に示すように、ＨＯ先セルＢのＰＣＩ（２００）と同一のＰＣＩが設定されているセルＳが基点セルＡの周辺に存在しており、セルＳの影響により基点セルＡからＨＯ先セルＢへのＨＯ完了率（ＮＲＴ有又はＮＲＴ無）が低下している状態を想定する。
【００３４】
まず、情報処理装置１は、ＨＯ完了率（ＮＲＴ有又はＮＲＴ無）が低い基点セルとＨＯ先セルとを抽出する。図８（ａ）の状態では、基点セルＡとＨＯ先セルＢへのＨＯ完了率（ＮＲＴ有又はＮＲＴ無）が低いことが検出される。続いて、情報処理装置１は、ＨＯ先セルＢのＰＣＩ（２００）をテンポラリＰＣＩ（５０１）に変更する。また、情報処理装置１は、ＨＯ先セルＢが基点セルＡのＮＲＴに設定されている場合（つまり、抽出されたＨＯ完了率がＮＲＴ有の場合）、基点セルＡのＮＲＴのうち、ＨＯ先セルＢのＰＣＩ（２００）をテンポラリＰＣＩ（５０１）に変更する。ＰＣＩ変更後の状態を図８（ｂ）に示す。
【００３５】
もし、ＰＣＩが変更された後で、基点セルＡからＨＯ先セルＢの元のＰＣＩ（２００）と同一のＰＣＩが設定されているセルへのＮＲＴレスＨＯが行われたこと（ＮＲＴレスＨＯの成功／失敗の両方を含む）が検出された場合、情報処理装置１は、ＨＯ先セルＢの元のＰＣＩ（２００）と同一のＰＣＩが設定されているセルＳが、基点セルＡの周辺に存在していることを検出することができる。
【００３６】
また、ＰＣＩが変更された後で、基点セルＡからＨＯ先セルＢへのＨＯ完了率（ＮＲＴ有／ＮＲＴ無）が上昇した場合、情報処理装置１は、ＨＯ先セルＢの元のＰＣＩ（２００）と同一のＰＣＩが設定されているセルＳが存在していることでＨＯ完了率（ＮＲＴ有／ＮＲＴ無）が悪化していたと推定することができる。
【００３７】
一方、ＰＣＩが変更された後で、基点セルＡからＨＯ先セルＢの元のＰＣＩ（２００）と同一のＰＣＩが設定されているセルへのＮＲＴレスＨＯが行われたことが検出されず、かつ基点セルＡからＨＯ先セルＢへのＨＯ完了率（ＮＲＴ有／ＮＲＴ無）が変化しない場合、情報処理装置１は、少なくともＨＯ先セルＢの元のＰＣＩ（２００）と同一のＰＣＩが設定されているセルＳは存在していない（つまり、ＰＣＩの重複を起因とするＨＯ品質の劣化ではない）と推定することができる。
【００３８】
（処理手順）
続いて、情報処理装置１がＰＣＩの重複を起因とするＨＯ品質の劣化を検出する際の具体的な処理手順について説明する。情報処理装置１は、ＰＣＩの重複を起因とするＨＯ品質の劣化の検出を、"ＰＣＩの重複が懸念されるセルの抽出及びＰＣＩの変更"、及び、"ＰＣＩの重複有無の検出"の２段階の手順を用いて行う。
【００３９】
［ＰＣＩの重複が懸念されるセルの抽出及びＰＣＩの変更］
図９は、ＰＣＩの重複が懸念されるセルの抽出及びＰＣＩを変更する際の処理手順の一例を示すフローチャートである。
【００４０】
ステップＳ１０１で、抽出部１０４は、トラフィックデータＤＢを検索し、ＨＯ完了率（ＮＲＴ有又はＮＲＴ無）が所定の閾値（Ｔｈ＿ｐｃｉ）以下である基点セル及びＨＯ先セルを抽出する。基点セル及びＨＯ先セルが抽出された場合はステップＳ１０２の処理手順に進み、抽出されない場合は処理を終了する。
【００４１】
ステップＳ１０２で、抽出部１０４は、ステップＳ１０１の処理手順で抽出された基点セル及びＨＯ先セル、当該ＨＯ先セルにおける変更前のＰＣＩ（元のＰＣＩ）、変更後のＰＣＩ（テンポラリＰＣＩ）、及びＨＯ完了率を一時記録用ＤＢに登録する。図１０に、一時記録用ＤＢに登録されたレコードの具体例を示す。なお、図１０の例は、図８に示す基点セル及びＨＯ先セルに対応している。
【００４２】
ステップＳ１０３で、設定変更部１０５は、基地局パラメータＤＢを操作し、ＨＯ先セルのＰＣＩをテンポラリＰＣＩに変更する。また、設定変更部１０５は、ＨＯ先セルが基点セルのＮＲＴに設定されている場合、基点セルのＮＲＴのうち、ＨＯ先セルのＰＣＩをテンポラリＰＣＩに変更する。また、設定変更部１０５は、変更した基地局パラメータを、オペレーション装置２を介して各基地局３に反映させる。
【００４３】
［ＰＣＩの重複有無の検出］
図１１は、ＰＣＩの重複有無の検出を行う際の処理手順の一例を示すフローチャートである。
【００４４】
ステップＳ１５１で、判定部１０６は、一時記録用ＤＢから、"ＰＣＩの重複が懸念されるセルの抽出及びＰＣＩの変更"における処理手順で記録された基点セルと、ＨＯ先セルの元のＰＣＩとを取得する。続いて、判定部１０６はトラフィックデータＤＢを検索し、取得した基点セルと、元のＰＣＩと同一のＰＣＩが設定されているセルとの間のＨＯ完了率（ＮＲＴ無）のレコードが存在しているか否かを判定する。元のＰＣＩと同一のＰＣＩが設定されているセルとの間のＨＯ完了率（ＮＲＴ無）のレコードが存在する場合、元のＰＣＩと同一のＰＣＩが設定されているセルとの間でＮＲＴレスＨＯが行われたと判定し、ステップＳ１５２の処理手順に進む。存在していない場合、元のＰＣＩと同一のＰＣＩが設定されているセルとの間ではＮＲＴレスＨＯが行われていないと判定し、ステップＳ１５３の処理手順に進む。
【００４５】
ステップＳ１５２で、判定部１０６は、元のＰＣＩと同一のＰＣＩが設定されている（ＰＣＩが重複している）セルが基点セルＡの周辺に存在していると判定する。
【００４６】
ステップＳ１５３で、判定部１０６はトラフィックデータＤＢを検索し、基点セルとＨＯ先セルとの間の現在のＨＯ完了率（ＮＲＴ有又はＮＲＴ無）が、一時記録用ＤＢに記録されているＨＯ完了率よりも上昇しているか否かを確認する。言い換えると、判定部１０６は、基点セルとＨＯ先セルとの間のＰＣＩ変更後のＨＯ完了率が、ＰＣＩ変更前のＨＯ完了率よりも上昇しているか否かを確認する。上昇している場合、ステップＳ１５２の処理手順に進み、上昇してない場合はステップＳ１５４の処理手順に進む。
【００４７】
なお、ステップＳ１５３の処理手順で、判定部１０６は、「（ＰＣＩ変更後のＨＯ完了率）／（ＰＣＩ変更前のＨＯ完了率）−１  ≧  許容誤差率（Ｐ）」（Ｐ＞０）を満たす場合にステップＳ１５２の処理手順に進み、満たさない場合はステップＳ１５４の処理手順に進むようにしてもよい。
【００４８】
ステップＳ１５４で、判定部１０６は、元のＰＣＩと同一のＰＣＩが設定されている（ＰＣＩが重複している）セルは基点セルＡの周辺に存在していないと判定する。
【００４９】
なお、図１１において、ステップＳ１５１又はステップＳ１５３は省略されてもよいし、ステップＳ１５１とステップＳ１５３とを入れ替えるようにしてもよい。
【００５０】
以上、情報処理装置１がＰＣＩの重複を検出する際の処理手順について説明した。以上説明した処理手順を用いることで、情報処理装置１は、ＰＣＩの重複を起因とするＨＯ品質の劣化を検出することが可能になる。また、情報処理装置１は、ＰＣＩの重複が検出されたセル間（図８の例ではセルＢ及びセルＳ）でＰＣＩが重複しないように適切なＰＣＩの再割り当てを行うことができ、ＨＯ品質を改善することができる。
【００５１】
＜処理手順の変形例＞
続いて、処理手順の変形例について説明する。前述の通り、第一の実施の形態に係る情報処理装置１は、基地局に設定する各種のパラメータの管理を行う装置である。そこで、以下に説明する処理手順の変形例において、情報処理装置１は、ＳＯＮ（Self Organizing Network）に関する機能として、ＮＲＴの設定を自動的に最適化する機能（ＮＲＴ最適化機能）を有している前提とする。ここで、ＮＲＴ最適化機能とは、例えば、「機能１：ＨＯ品質が悪いＨＯ先のセルをＮＲＴから自動的に削除する機能」、「機能２：ＨＯ品質が悪いＨＯ先のセルに対してＮＲＴレスＨＯを禁止する（ブラックリストに登録する）機能」を意図している。
【００５２】
［変形例その１］
処理手順の変形例その１では、情報処理装置１は、ＮＲＴ最適化機能のうち、「機能１：ＨＯ品質が悪いＨＯ先のセルをＮＲＴから自動的に削除する機能」及び「機能２：ＨＯ品質が悪いＨＯ先のセルに対してＮＲＴレスＨＯを禁止する（ブラックリストに登録する）機能」を動作させつつ、ＰＣＩの重複を起因とするＨＯ品質の劣化を検出するようにする。
【００５３】
（概要）
情報処理装置１がＰＣＩの重複を検出する際の処理手順の概要を説明する。図１２（ａ）に示すように、ＨＯ先セルＥのＰＣＩ（３５０）と同一のＰＣＩが設定されているセルＳが基点セルＡの周辺に存在しており、セルＳの影響により基点セルＡからＨＯ先セルＥへのＨＯ完了率（ＮＲＴ有）が低下している状態を想定する。
【００５４】
まず、情報処理装置１は、ＨＯ完了率（ＮＲＴ有）が低い基点セルとＨＯ先セルとを抽出する。図１２（ａ）の状態では、基点セルＡとＨＯ先セルＥへのＨＯ完了率（ＮＲＴ有）が低いことが検出される。続いて、情報処理装置１は、ＮＲＴ最適化機能（機能１）により、ＨＯ品質が悪い（ＨＯ完了率（ＮＲＴ有）が低い）ＨＯ先セルＥを基点セルＡのＮＲＴから削除し、ＮＲＴ最適化機能（機能２）により、基点セルＡのＮＲＴレスＨＯ先ブラックリストにＨＯ先セルＥを追加する。更に、情報処理装置１は、ＨＯ先セルＥのＰＣＩ（３５０）をテンポラリＰＣＩ（５０１）に変更する。ＨＯ先セルＥがＮＲＴから削除され、ＮＲＴレスＨＯブラックリストにＨＯ先セルＥが追加され、ＰＣＩが変更された後の状態を図１２（ｂ）に示す。
【００５５】
もし、ＰＣＩが変更された後で、基点セルＡからＨＯ先セルＥの元のＰＣＩ（３５０）と同一のＰＣＩが設定されているセルへのＮＲＴレスＨＯが行われたこと（ＮＲＴレスＨＯの成功／失敗の両方を含む）が検出された場合、情報処理装置１は、ＨＯ先セルＥの元のＰＣＩ（３５０）と同一のＰＣＩが設定されているセルＳが、基点セルＡの周辺に存在していることを検出することができる。
【００５６】
なお、処理手順の変形例その１では、ＮＲＴ最適化機能により、ＨＯ先セルＥがＮＲＴから削除され、かつ、ＮＲＴレスＨＯブラックリストにＨＯ先セルＥが追加されている。この状態で、移動機５は、ＮＲＴを用いるＨＯ及びＮＲＴレスＨＯの両方を行うことができないことになるため、基点セルＡからＨＯ先セルＥへのＨＯ完了率（ＮＲＴ有及びＮＲＴ無）はゼロになる。つまり、処理手順の変形例その１では、基点セルとＨＯ先セルとの間のＰＣＩ変更後のＨＯ完了率が、ＰＣＩ変更前のＨＯ完了率よりも上昇しているか否かを確認することにより、ＰＣＩが重複しているセルＳの存在を検出することはできない。
【００５７】
（処理手順）
［ＰＣＩの重複が懸念されるセルの抽出及びＰＣＩの変更］
図１３は、ＰＣＩの重複が懸念されるセルの抽出及びＰＣＩを変更する際の処理手順（変形例その１）の一例を示すフローチャートである。
【００５８】
ステップＳ２０１で、抽出部１０４は、トラフィックデータＤＢを検索し、ＨＯ完了率（ＮＲＴ有）が所定の閾値（Ｔｈ＿ｂｌ）以下である基点セル及びＨＯ先セルを抽出する。基点セル及びＨＯ先セルが抽出された場合はステップＳ２０２の処理手順に進み、抽出されない場合は処理を終了する。
【００５９】
ステップＳ２０２で、抽出部１０４は、ステップＳ２０１の処理手順で抽出された基点セル及びＨＯ先セル、当該ＨＯ先セルにおける変更前のＰＣＩ（元のＰＣＩ）、変更後のＰＣＩ（テンポラリＰＣＩ）、及びＨＯ完了率を一時記録用ＤＢに登録する。図１４に、一時記録用ＤＢに登録されたレコードの具体例を示す。なお、図１４の例は、図１２に示す基点セル及びＨＯ先セルに対応している。
【００６０】
ステップＳ２０３で、設定変更部１０５は、基地局パラメータＤＢを操作し、基点セルのＮＲＴレスＨＯ先ブラックリストにＨＯ先セルを追加する。
【００６１】
ステップＳ２０４で、設定変更部１０５は、基地局パラメータＤＢを操作し、基点セルのＮＲＴからＨＯ先セルを削除する。
【００６２】
ステップＳ２０５で、設定変更部１０５は、基地局パラメータＤＢを操作し、ＨＯ先セルのＰＣＩをテンポラリＰＣＩに変更する。また、設定変更部１０５は、ステップＳ２０３〜ステップＳ２０５で変更した基地局パラメータを、オペレーション装置２を介して各基地局３に反映させる。
【００６３】
［ＰＣＩの重複有無の検出］
図１５は、ＰＣＩの重複有無の検出を行う際の処理手順（変形例その１）の一例を示すフローチャートである。
【００６４】
ステップＳ２５１、ステップＳ２５２及びステップＳ２５３は、それぞれ図１２のステップＳ１５１、ステップＳ１５２及びステップＳ１５４と同一であるため説明は省略する。
【００６５】
以上、情報処理装置１がＰＣＩの重複を検出する際の処理手順（変形例その１）について説明した。以上説明した処理手順（変形例その１）を用いることで、情報処理装置１は、ＮＲＴ最適化機能を動作させつつ、ＰＣＩの重複を起因とするＨＯ品質の劣化を検出することが可能になる。また、情報処理装置１は、ＰＣＩの重複が検出されたセル間（図１２の例ではセルＥ及びセルＳ）でＰＣＩが重複しないように適切なＰＣＩの再割り当てを行うことができ、ＨＯ品質を改善することができる。
【００６６】
［変形例その２］
処理手順の変形例その２では、情報処理装置１は、ＮＲＴ最適化機能のうち、「機能１：ＨＯ品質が悪いＨＯ先のセルをＮＲＴから自動的に削除する機能」を動作させつつ、ＰＣＩの重複を起因とするＨＯ品質の劣化を検出するようにする。
【００６７】
（概要）
まず、情報処理装置１がＰＣＩの重複を検出する際の処理手順の概要を説明する。図１６（ａ）に示すように、ＨＯ先セルＣのＰＣＩ（２５０）と同一のＰＣＩが設定されているセルＳが基点セルＡの周辺に存在しており、セルＳの影響により基点セルＡからＨＯ先セルＣへのＨＯ完了率（ＮＲＴ有）が低下している状態を想定する。
【００６８】
まず、情報処理装置１は、ＨＯ完了率（ＮＲＴ有）が低い基点セルとＨＯ先セルとを抽出する。図１６（ａ）の状態では、基点セルＤとＨＯ先セルＣへのＨＯ完了率（ＮＲＴ有）が低いことが検出される。続いて、情報処理装置１は、ＮＲＴ最適化機能（機能１）により、ＨＯ品質が悪い（ＨＯ完了率（ＮＲＴ有）が低い）ＨＯ先セルＣを、基点セルＤのＮＲＴから削除する。更に、情報処理装置１は、ＨＯ先セルＣのＰＣＩ（２５０）をテンポラリＰＣＩ（５０１）に変更する。ＨＯ先セルＥがＮＲＴから削除され、ＰＣＩが変更された後の状態を図１６（ｂ）に示す。
【００６９】
もし、ＰＣＩが変更された後で、基点セルＡからＨＯ先セルＥの元のＰＣＩ（２５０）と同一のＰＣＩが設定されているセルへのＮＲＴレスＨＯが行われたこと（ＮＲＴレスＨＯの成功／失敗の両方を含む）が検出された場合、情報処理装置１は、ＨＯ先セルＥの元のＰＣＩ（２５０）と同一のＰＣＩが設定されているセルＳが、基点セルＡの周辺に存在していることを検出することができる。
【００７０】
また、ＰＣＩが変更された後で、基点セルＤからＨＯ先セルＣへのＨＯ完了率（ＮＲＴ有）が上昇した場合、情報処理装置１は、ＨＯ先セルＣの元のＰＣＩ（２５０）と同一のＰＣＩが設定されているセルＳが存在していることでＨＯ完了率（ＮＲＴ有）が悪化していたと推定することができる。
【００７１】
一方、ＰＣＩが変更された後で、基点セルＡからＨＯ先セルＢの元のＰＣＩ（２５０）と同一のＰＣＩが設定されているセルへのＮＲＴレスＨＯが行われたことが検出されず、かつ基点セルＤからＨＯ先セルＣへのＨＯ完了率（ＮＲＴ有）が変化しない場合、情報処理装置１は、少なくともＨＯ先セルＣの元のＰＣＩ（２５０）と同一のＰＣＩが設定されているセルＳは存在していない（つまり、ＰＣＩの重複を起因とするＨＯ品質の劣化ではない）と推定することができる。
【００７２】
（処理手順）
［ＰＣＩの重複が懸念されるセルの抽出及びＰＣＩの変更］
図１７は、ＰＣＩの重複が懸念されるセルの抽出及びＰＣＩを変更する際の処理手順（変形例その２）の一例を示すフローチャートである。
【００７３】
ステップＳ３０１で、抽出部１０４は、トラフィックデータＤＢを検索し、ＨＯ完了率（ＮＲＴ有）が所定の閾値（Ｔｈ＿ｄｅｌ）以下である基点セル及びＨＯ先セルを抽出する。基点セル及びＨＯ先セルが抽出された場合はステップＳ３０２の処理手順に進み、抽出されない場合は処理を終了する。
【００７４】
ステップＳ３０２で、抽出部１０４は、ステップＳ３０１の処理手順で抽出された基点セル及びＨＯ先セル、当該ＨＯ先セルにおける変更前のＰＣＩ（元のＰＣＩ）、変更後のＰＣＩ（テンポラリＰＣＩ）、及びＨＯ完了率を一時記録用ＤＢに登録する。図１８に、一時記録用ＤＢに登録されたレコードの具体例を示す。なお、図１８の例は、図１６に示す基点セル及びＨＯ先セルに対応している。
【００７５】
ステップＳ３０３及びステップＳ３０４の処理手順は、それぞれ図１３のステップＳ２０４及びステップＳ２０５と同一であるため説明は省略する。
【００７６】
［ＰＣＩの重複有無の検出］
図１９は、ＰＣＩの重複有無の検出を行う際の処理手順（変形例その２）の一例を示すフローチャートである。
【００７７】
ステップＳ３５１、ステップＳ３５２及びステップＳ３５４は、それぞれ図１１のステップＳ１５１、ステップＳ１５２及びステップＳ１５４と同一であるため説明は省略する。
【００７８】
ステップＳ３５３で、判定部１０６はトラフィックデータＤＢを検索し、基点セルとＨＯ先セルとの間の現在のＨＯ完了率（ＮＲＴ無）が、一時記録用ＤＢに記録されているＨＯ完了率よりも上昇しているか否かを確認する。言い換えると、判定部１０６は、基点セルとＨＯ先セルとの間のＰＣＩ変更後のＨＯ完了率（ＮＲＴ無）が、ＰＣＩ変更前のＨＯ完了率（ＮＲＴ有）よりも上昇しているか否かを確認する。上昇している場合、ステップＳ３５２の処理手順に進み、上昇してない場合はステップＳ３５４の処理手順に進む。
【００７９】
なお、ステップＳ３５３の処理手順で、判定部１０６は、「（ＰＣＩ変更後のＨＯ完了率）／（ＰＣＩ変更前のＨＯ完了率）−１  ≧  許容誤差率（Ｐ）」（Ｐ＞０）を満たす場合にステップＳ３５２の処理手順に進み、満たさない場合はステップＳ３５４の処理手順に進むようにしてもよい。
【００８０】
なお、図１９において、ステップＳ３５１又はステップＳ３５３は省略されてもよいし、ステップＳ３５１とステップＳ３５３とを入れ替えるようにしてもよい。
【００８１】
以上、情報処理装置１がＰＣＩの重複を検出する際の処理手順（変形例その２）について説明した。以上説明した処理手順（変形例その２）を用いることで、情報処理装置１は、ＮＲＴ最適化機能を動作させつつ、ＰＣＩの重複を起因とするＨＯ品質の劣化を検出することが可能になる。また、情報処理装置１は、ＰＣＩの重複が検出されたセル間（図１６の例ではセルＣ及びセルＳ）でＰＣＩが重複しないように適切なＰＣＩの再割り当てを行うことができ、ＨＯ品質を改善することができる。
【００８２】
＜＜第二の実施の形態＞＞
第一の実施の形態では、情報処理装置１がＰＣＩの重複を起因とするＨＯ品質の劣化を検出するようにしたが、第二の実施の形態では、基地局３が自らＰＣＩの重複を起因とするＨＯ品質の劣化を検出する。なお、特に言及しない点については第一の実施の形態と同一でよい。また、第二の実施の形態に係る無線通信システムは、基地局３及び移動機５のみが存在する構成であってもよい。
【００８３】
＜機能構成＞
図２０は、第二の実施の形態に係る基地局の機能構成例を示す図である。図２０に示すように、基地局３は、通信部１１０１、抽出部１１０４、設定変更部１１０５、判定部
１１０６及び記憶部１１０７を有する。
【００８４】
通信部１１０１は、移動機５及び他の基地局３と通信する機能を有する。また、通信部１１０１は、他の基地局３との間で行われるＨＯの完了率を算出し、トラフィックデータＤＢに格納する機能を有する。
【００８５】
抽出部１１０４は、トラフィックデータＤＢからトラフィックデータを抽出する機能を有する。また、抽出部１１０４は、トラフィックデータＤＢに含まれるＨＯ完了率を検索し、ＨＯ完了率が所定の閾値以下である他の基地局３（ＨＯ先の他の基地局３）を抽出する機能を有する。
【００８６】
設定変更部１１０５は、基地局パラメータＤＢに格納されている基地局パラメータの設定値を変更する機能を有する。また、設定変更部１１０５は、ＮＲＴに含まれるＰＣＩを一時的なＰＣＩ（テンポラリＰＣＩ）に変更する機能を有する。また、設定変更部１１０５は、他の基地局３に対し、通信部１１０１を介して基地局パラメータの変更を指示する機能を有する。
【００８７】
判定部１１０６は、ＰＣＩが重複している他の基地局３の存在を検出する機能を有する。また、判定部１１０６は、ＨＯ先のセルを形成する基地局に対してＰＣＩをテンポラリＰＣＩに変更するように指示した後で、移動機５から、ＨＯ先のセルに設定されていた元のＰＣＩを含む受信品質の測定結果を受信した場合、又は、ＨＯ先のセルに設定されていた元のＰＣＩと同一のＰＣＩが設定されているセルと自身が形成するセルとの間でハンドオーバー処理が行われることを検出した場合、ＰＣＩが重複している他のセルが自身の周辺に存在すると判断する。
【００８８】
記憶部１１０７は、基地局パラメータＤＢ、トラフィックデータＤＢ、判定パラメータＤＢ及び一時記録用ＤＢを格納する。基地局パラメータＤＢには、例えば、図４に示す基地局パラメータＤＢのうち自身に関するレコードのみが格納される。トラフィックデータＤＢには、例えば、図５に示すトラフィックデータＤＢのうち、自身を起点セルとするレコードが格納される。判定パラメータＤＢには、例えば、図６に示す判定パラメータのうち、「Ｔｈ＿ｐｃｉ」が格納される。
【００８９】
＜ハードウェア構成＞
基地局３のハードウェア構成は、例えば図７と同一であるため説明は省略する。
【００９０】
＜処理手順＞
続いて、第二の実施の形態に係る基地局３がＰＣＩの重複を起因とするＨＯ品質の劣化を検出する際の具体的な処理手順について説明する。基地局３は、第一の実施の形態と同様、ＰＣＩの重複を起因とするＨＯ品質の劣化の検出を、"ＰＣＩの重複が懸念されるセルの抽出及びＰＣＩの変更"、及び、"ＰＣＩの重複有無の検出"の２段階の手順を用いて行う。
【００９１】
［ＰＣＩの重複が懸念されるセルの抽出及びＰＣＩの変更］
図２１は、ＰＣＩの重複が懸念されるセルの抽出及びＰＣＩを変更する際の処理手順の一例を示すフローチャートである。
【００９２】
ステップＳ４０１で、抽出部１１０４は、トラフィックデータＤＢを検索し、ＨＯ完了率（ＮＲＴ有又はＮＲＴ無）が所定の閾値（Ｔｈ＿ｐｃｉ）以下であるＨＯ先セルを抽出する。ＨＯ先セルが抽出された場合はステップＳ４０２の処理手順に進み、抽出されない場合は処理を終了する。
【００９３】
ステップＳ４０２で、抽出部１１０４は、ステップＳ４０１の処理手順で抽出されたＨＯ先セル、当該ＨＯ先セルにおける変更前のＰＣＩ（元のＰＣＩ）、変更後のＰＣＩ（テンポラリＰＣＩ）、及びＨＯ完了率を一時記録用ＤＢに登録する。図２２に、一時記録用ＤＢに登録されたレコードの具体例を示す。
【００９４】
ステップＳ４０３で、設定変更部１１０５は、ＨＯ先セルの基地局３に対し、ＰＣＩをテンポラリＰＣＩに変更するように指示する。また、設定変更部１０５は、ＨＯ先セルが自身のＮＲＴに設定されている場合、自身のＮＲＴのうち、ＨＯ先セルのＰＣＩをテンポラリＰＣＩに変更する。
【００９５】
［ＰＣＩの重複有無の検出］
図２３は、ＰＣＩの重複有無の検出を行う際の処理手順の一例を示すフローチャートである。
【００９６】
ステップＳ４５１で、判定部１１０６は、ＨＯ先の他の基地局３に対してＰＣＩをテンポラリＰＣＩに変更するように指示した後で、ＨＯ先の他の基地局３に設定されていた元のＰＣＩを含む受信品質の測定結果を移動機５から受信したか否かを判定する。通知された場合、ステップＳ４５２の処理手順に進み、通知されていない場合はステップＳ４５３の処理手順に進む。
【００９７】
なお、ステップＳ４５１の処理手順で、判定部１１０６は、第一の実施の形態において情報処理装置１が行っていた処理と同様の処理手順を行ってもよい。まず、判定部１１０６は、一時記録用ＤＢから、"ＰＣＩの重複が懸念されるセルの抽出及びＰＣＩの変更"における処理手順で記録されたＨＯ先セルの元のＰＣＩを取得する。続いて、判定部１１０６はトラフィックデータＤＢを検索し、取得した元のＰＣＩと同一のＰＣＩが設定されているセルとの間のＨＯ完了率（ＮＲＴ無）が存在しており、かつ、当該ＨＯ完了率（ＮＲＴ無）が所定の閾値を超えているかを判定する。元のＰＣＩと同一のＰＣＩが設定されているセルとの間のＨＯ完了率（ＮＲＴ無）が存在し、かつ、当該ＨＯ完了率が所定の閾値を超えている場合はステップＳ４５２の処理手順に進む。存在していない場合又は当該ＨＯ完了率が所定の閾値以下である場合はステップＳ４５３の処理手順に進む。なお、ステップＳ４５１の処理手順で、所定の閾値は「０％」であってもよい。
【００９８】
ステップＳ４５２で、判定部１１０６は、元のＰＣＩと同一のＰＣＩが設定されている（ＰＣＩが重複している）セルが自身の周辺に存在していると判定する。
【００９９】
ステップＳ４５３で、判定部１１０６はトラフィックデータＤＢを検索し、自身とＨＯ先セルとの間の現在のＨＯ完了率（ＮＲＴ有又はＮＲＴ無）が、一時記録用ＤＢに記録されているＨＯ完了率よりも上昇しているか否かを確認する。言い換えると、判定部１１０６は、自身とＨＯ先セルとの間のＰＣＩ変更後のＨＯ完了率が、ＰＣＩ変更前のＨＯ完了率よりも上昇しているか否かを確認する。上昇している場合、ステップＳ４５２の処理手順に進み、上昇してない場合はステップＳ４５４の処理手順に進む。
【０１００】
なお、ステップＳ４５３の処理手順で、判定部１１０６は、「（ＰＣＩ変更後のＨＯ完了率）／（ＰＣＩ変更前のＨＯ完了率）−１  ≧  許容誤差率（Ｐ）」（Ｐ＞０）を満たす場合にステップＳ４５２の処理手順に進み、満たさない場合はステップＳ４５４の処理手順に進むようにしてもよい。
【０１０１】
ステップＳ４５４で、判定部１１０６は、元のＰＣＩと同一のＰＣＩが設定されている（ＰＣＩが重複している）セルは自身の周辺に存在していないと判定する。
【０１０２】
以上、基地局３がＰＣＩの重複を検出する際の処理手順について説明した。以上説明した処理手順を用いることで、基地局３は、ＰＣＩの重複を起因とするＨＯ品質の劣化を検出することが可能になる。また、基地局３は、ＰＣＩの重複が検出されたセルとの間でＰＣＩが重複しないように適切なＰＣＩの再割り当てを行うことができ、ＨＯ品質を自ら改善することができる。
【０１０３】
＜実施形態の補足＞
以上説明した"ＰＣＩの重複が懸念されるセルの抽出及びＰＣＩの変更"、及び、"ＰＣＩの重複有無の検出"の２段階の手順を行う際において、情報処理装置１又は基地局３は、"ＰＣＩの重複が懸念されるセルの抽出及びＰＣＩの変更"の手順を実施してから所定の期間経過後（例えば１週間など）に"ＰＣＩの重複有無の検出"の手順を行うようにしてもよい。ＰＣＩ変更後のトラフィックデータの変化をより適切に検出することが可能になる。
【０１０４】
以上、本発明の実施の形態で説明する各装置（情報処理装置１／基地局３）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１０５】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、情報処理装置１／基地局３は機能的なブロック図を用いて説明されたが、そのような装置はハードウェアで、ソフトウェアで又はそれらの組み合わせで実現されてもよい。本発明の実施の形態に従って情報処理装置１が有するプロセッサにより動作するソフトウェア及び本発明の実施の形態に従って基地局３が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１０６】
以上、各実施の形態において、ＮＲＴは、隣接セル設定情報の一例である。テンポラリＰＣＩは第二の物理セルＩＤの一例である。ＨＯ完了率（ＮＲＴ有）は、「隣接セル設定情報に前記第二の基地局が設定されている場合にカウントされるハンドオーバー完了率」の一例である。ＨＯ完了率（ＮＲＴ無）は、前記第一の基地局に設定されているハンドオーバー先セルを示す隣接セル設定情報に前記第二の基地局が設定されていない場合にカウントされるハンドオーバー完了率の一例である。ＮＲＴレスＨＯ先ブラックリストは、抑止情報の一例である。
【符号の説明】
【０１０７】
１  情報処理装置
２  オペレーション装置
３  基地局
４  集計装置
１０１  通信部
１０２  転送部
１０３  取得部
１０４  抽出部
１０５  設定変更部
１０６  判定部
１０７  記憶部
１１０１  通信部
１１０４  抽出部
１１０５  設定変更部
１１０６  判定部
１１０７  記憶部
【図１】
2017188769.tif 000003
【図２】
2017188769.tif 000004
【図３】
2017188769.tif 000005
【図４】
2017188769.tif 000006
【図５】
2017188769.tif 000007
【図６】
2017188769.tif 000008
【図７】
2017188769.tif 000009
【図８】
2017188769.tif 000010
【図９】
2017188769.tif 000011
【図１０】
2017188769.tif 000012
【図１１】
2017188769.tif 000013
【図１２】
2017188769.tif 000014
【図１３】
2017188769.tif 000015
【図１４】
2017188769.tif 000016
【図１５】
2017188769.tif 000017
【図１６】
2017188769.tif 000018
【図１７】
2017188769.tif 000019
【図１８】
2017188769.tif 000020
【図１９】
2017188769.tif 000021
【図２０】
2017188769.tif 000022
【図２１】
2017188769.tif 000023
【図２２】
2017188769.tif 000024
【図２３】
2017188769.tif 000025